(57)【要約】【課題】  操作を簡単にするとともに、誤認率を低減させること。【解決手段】  ＭＦＰは、ユーザの指紋画像とグループ番号との組を含む複数の認証レコードを含む認証テーブルを記憶するＨＤＤを備え、複数のグループ番号のうちから１つを選択し（ステップＳ０１、Ｓ０５）、ユーザの指紋画像を受け付け（ステップＳ０７）、選択されたグループ番号を含む認証レコードを抽出し（ステップＳ０８）、受け付けられた指紋画像と抽出された認証レコードに含まれる指紋画像とを比較する（ステップＳ０９）。【選択図】        図７
2008204205.tif 000002
【特許請求の範囲】
【請求項１】
ユーザの生体情報とグループ識別情報との組を含む複数の認証レコードを記憶する認証テーブル記憶手段と、
複数のグループ識別情報のうちから１つを選択する選択手段と、
ユーザの生体情報を受け付ける生体情報受付手段と、
選択された前記グループ識別情報を含む認証レコードを抽出する抽出手段と、
受け付けられた前記生体情報と抽出された前記認証レコードに含まれる生体情報とを比較する比較手段と、を備えた認証装置。
【請求項２】
前記選択手段は、デフォルト値として設定されたグループ識別情報を別のグループ識別情報に切り換える切換手段を含み、
前記切換手段による切り換え前は前記デフォルト値として設定されたグループ識別情報を選択し、切換手段による切り換え後は前記別のグループ識別情報を選択する、請求項１に記載の認証装置。
【請求項３】
数字の入力を受け付けるための入力受付手段をさらに備え、
前記切換手段は、前記入力受付手段による数字の入力受け付けられることに応じて、前記受け付けられた数字に対応するグループ識別情報に切り換える、請求項１に記載の認証装置。
【請求項４】
前記認証テーブル記憶手段は、同じグループ識別情報を含む前記認証レコードを記憶可能な数を制限する制限手段を含む、請求項１に記載の認証装置。
【請求項５】
前記制限手段は、前記グループ識別情報ごとに前記記憶可能な数を設定する設定手段を含む、請求項３に記載の認証装置。
【請求項６】
請求項１〜５のいずれかに記載の認証装置を備えた、画像形成装置。
【請求項７】
複数の情報処理装置と、認証装置とで構成される認証システムであって、
複数の前記情報処理装置それぞれは、生体情報を受け付ける生体情報受付手段と、
複数のグループ識別情報のうちから１つを選択する選択手段と、
選択された前記グループ識別情報と受け付けられた前記生体情報との組を前記認証装置に送信する送信手段と、を含み、
前記認証装置は、ユーザの生体情報とグループ識別情報との組を含む複数の認証レコードを記憶する認証テーブル記憶手段と、
複数の前記情報処理装置のいずれかから前記グループ識別情報と前記生体情報との組を受信すると、受信された前記グループ識別情報を含む認証レコードを抽出する抽出手段と、
受信された前記生体情報と抽出された前記認証レコードに含まれる生体情報とを比較する比較手段と、を含む、認証システム。
【請求項８】
前記選択手段は、複数の前記情報処理装置毎にデフォルト値として設定されたグループ識別情報を別のグループ識別情報に切り換える切換手段を含み、
前記切換手段による切り換え前は前記デフォルト値として設定されたグループ識別情報を選択し、切換手段による切り換え後は前記別のグループ識別情報を選択する、請求項６に記載の認証システム。
【請求項９】
グループ識別情報を取得するステップと、
ユーザの生体情報を受け付けるステップと、
ユーザの生体情報とグループ識別情報との組を含む複数の認証レコードのうちから取得された前記グループ識別情報を含む認証レコードを抽出するステップと、
受け付けられた前記生体情報と抽出された前記認証レコードに含まれる生体情報とを比較するステップと、を含む認証方法。
【請求項１０】
グループ識別情報を取得するステップと、
ユーザの生体情報を受け付けるステップと、
ユーザの生体情報とグループ識別情報との組を含む複数の認証レコードのうちから取得された前記グループ識別情報を含む認証レコードを抽出するステップと、
受け付けられた前記生体情報と抽出された前記認証レコードに含まれる生体情報とを比較するステップと、をコンピュータに実行させる認証プログラム。
【発明の詳細な説明】
【技術分野】
【０００１】
この発明は認証装置、画像形成装置、認証システム、認証方法および認証プログラムに関し、特に生体情報を用いて認証する認証装置、画像形成装置、認証システム、認証方法および認証プログラムに関する。
【背景技術】
【０００２】
近年、人の指紋を用いて認証し、使用者を特定する生体認証技術が知られている（例えば、特許文献１または特許文献２）。この指紋認証は、認証するための指紋の数が増加すると、類似した指紋の数が増加してしまうために認証精度が低下したり、認証のための処理時間が長くなったりするといった問題がある。
【０００３】
一方、ユーザＩＤと指紋とを入力するようにして、入力された指紋と入力されたユーザＩＤと関連して予め記憶された指紋とを照合する認証技術が知られている（例えば、特許文献３または特許文献４）。この従来の認証技術によれば、パターンマッチングを１回行えばよいので、認証精度を向上させ、認証のための処理時間を短くすることができる。しかしながら、ユーザは、ユーザＩＤと指紋とを入力しなければならず、操作が煩雑になるといった問題がある。このように、指紋認証においては、操作の利便性を重視すれば誤認率が高くなってしまい、誤認率を低下させれば操作の利便性が損なわれるといった問題がある。
【特許文献１】特開２０００−２７６０１８号公報
【特許文献２】特開２００３−１９５７０４号公報
【特許文献３】特開２００６−１７２１８０号公報
【特許文献４】特開２００６−２０２２０７号公報
【発明の開示】
【発明が解決しようとする課題】
【０００４】
この発明は上述した問題点を解決するためになされたもので、この発明の目的の一つは、操作を簡単にするとともに、誤認率を低減させることが可能な認証装置、画像形成装置および認証システムを提供することである。
【０００５】
この発明の他の目的は、操作を簡単にするとともに、誤認率を低減させることが可能な認証方法および認証プログラムを提供することである。
【課題を解決するための手段】
【０００６】
上述した目的を達成するためにこの発明のある局面によれば、認証装置は、ユーザの生体情報とグループ識別情報との組を含む複数の認証レコードを記憶する認証テーブル記憶手段と、複数のグループ識別情報のうちから１つを選択する選択手段と、ユーザの生体情報を受け付ける生体情報受付手段と、選択されたグループ識別情報を含む認証レコードを抽出する抽出手段と、受け付けられた生体情報と抽出された認証レコードに含まれる生体情報とを比較する比較手段と、を備える。
【０００７】
この局面に従えば、グループ識別情報が取得され、生体情報が受け付けられると、ユーザの生体情報とグループ識別情報との組を含む複数の認証レコードのうちから、取得されたグループ識別情報を含む認証レコードが抽出され、受け付けられた生体情報と抽出された認証レコードに含まれる生体情報とが比較される。このため、ユーザは、グループ識別情報を与え、生体情報を入力すればよいので、操作が容易である。また、生体情報を比較する回数を少なくすることができ、誤って認証する確率を小さくすることができ、認証に要する時間を短くすることができる。その結果、操作を簡単にするとともに、誤認率を低減させた認証装置を提供することができる。
【０００８】
好ましくは、選択手段は、デフォルト値として設定されたグループ識別情報を別のグループ識別情報に切り換える切換手段を含み、切換手段による切り換え前はデフォルト値として設定されたグループ識別情報を選択し、切換手段による切り換え後は別のグループ識別情報を選択する。
【０００９】
この局面に従えば、デフォルト値として設定されたグループ識別情報が選択され、選択されたグループ識別情報が別のグループ識別情報に切換えられる。選択されたグループ識別情報が別のグループ識別情報に切り換えられることなく生体情報が受け付けられると、デフォルト値として設定されたグループ識別情報を含む認証レコードが抽出される。このため、ユーザ識別情報がデフォルト値として設定されたグループ識別情報と組になるユーザは、グループ識別情報を入力することなく生体情報のみを入力すればよいので、操作が容易となる。
【００１０】
好ましくは、数字の入力を受け付けるための入力受付手段をさらに備え、切換手段は、入力受付手段による数字の入力受け付けられることに応じて、受け付けられた数字に対応するグループ識別情報に切り換える。
【００１１】
この局面に従えば、数字の入力が受け付けられ、受け付けられた数字に対応するグループ識別情報が取得される。このため、グループ識別情報の入力が容易となる。
【００１２】
好ましくは、認証テーブル記憶手段は、同じグループ識別情報を含む認証レコードを記憶可能な数を制限する制限手段を含む。
【００１３】
この局面に従えば、同じグループ識別情報を含む認証レコードを記憶可能な数が制限されるので、生体情報を比較する対象の数が制限される。このため、誤認率を所定の値以下に維持することができる。
【００１４】
好ましくは、制限手段は、グループ識別情報ごとに記憶可能な数を設定する設定手段を含む。
【００１５】
この局面に従えば、グループ識別情報毎に制限される記憶可能な上限数が設定されるので、記憶可能な認証レコードの数を、グループ識別情報毎に異ならせることができる。
【００１６】
この発明の他の局面によれば、画像形成装置は、上述した認証装置を備える。
【００１７】
この局面に従えば、操作を簡単にするとともに、誤認率を低減させた画像形成装置を提供することができる。
【００１８】
この発明の他の局面に従えば、認証システムは、複数の情報処理装置と、認証装置とで構成される認証システムであって、複数の情報処理装置それぞれは、生体情報を受け付ける生体情報受付手段と、複数のグループ識別情報のうちから１つを選択する選択手段と、選択されたグループ識別情報と受け付けられた生体情報との組を認証装置に送信する送信手段と、を含み、認証装置は、ユーザの生体情報とグループ識別情報との組を含む複数の認証レコードを記憶する認証テーブル記憶手段と、複数の情報処理装置のいずれかからグループ識別情報と生体情報との組を受信すると、受信されたグループ識別情報を含む認証レコードを抽出する抽出手段と、受信された生体情報と抽出された認証レコードに含まれる生体情報とを比較する比較手段と、を含む。
【００１９】
この局面に従えば、誤認率を低減させた認証システムを提供することができる。
【００２０】
好ましくは、選択手段は、複数の情報処理装置毎にデフォルト値として設定されたグループ識別情報を別のグループ識別情報に切り換える切換手段を含み、切換手段による切り換え前はデフォルト値として設定されたグループ識別情報を選択し、切換手段による切り換え後は別のグループ識別情報を選択する。
【００２１】
この局面に従えば、複数の情報処理装置毎に予め定められたグループ識別情報が選択され、選択されたグループ識別情報が別のグループ識別情報に切り換えられることなく生体情報が受け付けられると、予め定められたグループ識別情報と生体情報とが送信される。このため、ユーザは、グループ識別情報を入力することなく、生体情報のみを入力すればよいので、操作が容易となる。
【００２２】
この発明の他の局面に従えば、認証方法は、グループ識別情報を取得するステップと、ユーザの生体情報を受け付けるステップと、ユーザの生体情報とグループ識別情報との組を含む複数の認証レコードのうちから取得されたグループ識別情報を含む認証レコードを抽出するステップと、受け付けられた生体情報と抽出された認証レコードに含まれる生体情報とを比較するステップと、を含む。
【００２３】
この局面に従えば、操作を簡単にするとともに、誤認率を低減させた認証方法を提供することができる。
【００２４】
この発明の他の局面に従えば、認証方法は、グループ識別情報を取得するステップと、ユーザの生体情報を受け付けるステップと、ユーザの生体情報とグループ識別情報との組を含む複数の認証レコードのうちから取得されたグループ識別情報を含む認証レコードを抽出するステップと、受け付けられた生体情報と抽出された認証レコードに含まれる生体情報とを比較するステップと、をコンピュータに実行させる。
【００２５】
この局面に従えば、操作を簡単にするとともに、誤認率を低減させた認証プログラムを提供することができる。
【発明を実施するための最良の形態】
【００２６】
以下、本発明の実施の形態について図面を参照して説明する。以下の説明では同一の部品には同一の符号を付してある。それらの名称および機能も同じである。したがってそれらについての詳細な説明は繰返さない。
【００２７】
＜第１の実施の形態＞
第１の実施の形態においては、ユーザ認証機能を備えた認証装置として、ＭＦＰ（Ｍｕｌｔｉ  Ｆｕｎｃｔｉｏｎ  Ｐｅｒｉｐｈｅｒａｌ）を例に説明する。図１は、本実施の形態におけるＭＦＰの外観を示す斜視図である。図１を参照して、ＭＦＰ１００は、自動原稿搬送装置（ＡＤＦ）１０と、画像読取部２０と、画像形成部３０と、給紙部４０と、後処理部５０と、を含む。
【００２８】
ＡＤＦ１０は、原稿給紙トレイ１１上にセットされた複数枚の原稿を１枚ずつ自動的に画像読取部２０のプラテンガラス上に設定された所定の原稿読み取り位置まで搬送し、画像読取部２０により原稿画像が読み取られた原稿を原稿排紙トレイ１２上に排出する。画像読取部２０は、原稿読取位置に搬送されてきた原稿に光を照射する光源と、原稿で反射した光を受光する光電変換素子とを含み、原稿のサイズに応じた原稿画像を走査する。光電変換素子は、受光した光を電気信号である画像データに変換して、画像形成部３０に出力する。給紙部４０は、給紙トレイに収納された用紙を画像形成部３０に搬送する。
【００２９】
画像形成部３０は、周知の電子写真方式により画像を形成するものであって、画像読取部２０から入力される画像データにシェーディング補正などの各種のデータ処理を施し、データ処理後の画像データに基づいて、給紙部４０により搬送される用紙に画像を形成する。
【００３０】
後処理部５０は、画像が形成された記録シートを排紙する。後処理部５０は、複数の排紙トレイを有し、画像が形成された用紙をソートして排紙することが可能である。また、後処理部５０は、パンチ穴加工部、ステープル加工部を備えており、排紙された用紙にパンチ穴加工、またはステープル加工することが可能である。また、ＭＦＰ１００は、その上面にユーザとのユーザインターフェースとしての操作パネル９を備えている。
【００３１】
なお、本実施の形態においてはＭＦＰ１００を例に説明するが、ＭＦＰ１００に代えて、ユーザ認証機能を備えた装置であれば、たとえば、スキャナ、プリンタ、ファクシミリ、パーソナルコンピュータ等であってもよい。
【００３２】
図２は、ＭＦＰの回路構成の一例を示すブロック図である。図２を参照して、ＭＦＰ１００は、メイン回路１０１と、ファクシミリ部１２２と、通信制御部１２３と、を含む。メイン回路１０１は、自動原稿搬送装置（ＡＤＦ）１０と、画像読取部２０と、画像形成部３０と、給紙部４０と、後処理部５０とに接続されている。
【００３３】
メイン回路１０１は、中央演算装置（ＣＰＵ）１１１と、ＣＰＵ１１１の作業領域として使用されるＲＡＭ（Ｒａｎｄｏｍ  Ａｃｃｅｓｓ  Ｍｅｍｏｒｙ）１１２と、ＣＰＵ１１１が実行するプログラム等を記憶するためのＲＯＭ（Ｒｅａｄ  Ｏｎｌｙ  Ｍｅｍｏｒｙ）１１３と、表示部１１４と、操作部１１５と、大容量記憶装置としてのハードディスクドライブ（ＨＤＤ）１１６と、データ通信制御部１１７と、指紋読取部１２１と、を含む。
【００３４】
ＣＰＵ１１１は、表示部１１４、操作部１１５、ＨＤＤ１１６およびデータ通信制御部１１７と、指紋読取部１２１とそれぞれ接続され、メイン回路１０１の全体を制御する。また、ＣＰＵ１１１は、ファクシミリ部１２２、通信制御部１２３、ＡＤＦ１０、画像読取部２０、画像形成部３０、給紙部４０、後処理部５０と接続され、ＭＦＰ１００の全体を制御する。
【００３５】
表示部１１４は、液晶表示装置（ＬＣＤ）、有機ＥＬＤ（Ｅｌｅｃｔｒｏ  Ｌｕｍｉｎｅｓｃｅｎｃｅ  Ｄｉｓｐｌａｙ）等の表示装置であり、ユーザに対する指示メニューや取得した画像データに関する情報等を表示する。操作部１１５は、複数のキーを備え、キーに対応するユーザの操作による各種の指示、文字、数字などのデータの入力を受付ける。操作部１１５は、表示部１１４上に設けられたタッチパネルを含む。指紋読取部１２１は、ＣＣＤ（Ｃｈａｒｇｅ  Ｃｏｕｐｌｅｄ  Ｄｅｖｉｃｅ）等の光電変換素子を含み、ＭＦＰ１００のユーザの指紋を走査し、指紋画像をＣＰＵ１１１に出力する。表示部１１４と、操作部１１５と、指紋読取部１２１とで、ＭＦＰ１００の上面に設けられる操作パネル９が構成される。
【００３６】
データ通信制御部１１７は、ＴＣＰ（Ｔｒａｎｓｍｉｓｓｉｏｎ  Ｃｏｎｔｒｏｌ  Ｐｒｏｔｏｃｏｌ）またはＦＴＰ（Ｆｉｌｅ  Ｔｒａｎｓｆｅｒ  Ｐｒｏｔｏｃｏｌ）等の通信プロトコルで通信するためのインターフェースであるＬＡＮ端子１１８と、シリアル通信のためのシリアル通信インターフェース端子１１９とを有する。データ通信制御部１１７は、ＣＰＵ１１１からの指示に従って、ＬＡＮ端子１１８またはシリアル通信インターフェース端子１１９に接続された外部の機器との間でデータを送受信する。
【００３７】
ＬＡＮ端子１１８に、ネットワーク２に接続するためのＬＡＮケーブルが接続される場合、データ通信制御部１１７は、ＬＡＮ端子１１８を介して接続された他のＭＦＰまたはコンピュータと通信する。さらに、データ通信制御部１１７は、インターネットに接続された他のコンピュータと通信する。
【００３８】
シリアル通信インターフェース端子１１９に機器が接続された場合、データ通信制御部１１７は、シリアル通信インターフェース端子１１９に接続された機器、例えば、デジタルカメラ、デジタルビデオカメラまたは携帯情報端末との間で通信して画像データを入出力する。また、シリアル通信インターフェース端子１１９には、フラッシュメモリを内蔵したメモリカード１１９Ａが接続可能である。ＣＰＵ１１１は、データ通信制御部１１７を制御して、メモリカード１１９ＡからＣＰＵ１１１が実行するための認証プログラムを読出し、読み出した認証プログラムをＲＡＭ１１２に記憶し、実行する。
【００３９】
なお、ＣＰＵ１１１が実行するための認証プログラムを記憶する記録媒体としては、メモリカード１１９Ａに限られず、フレキシブルディスク、カセットテープ、光ディスク（ＣＤ−ＲＯＭ（Ｃｏｍｐａｃｔ  Ｄｉｓｃ−Ｒｅａｄ  Ｏｎｌｙ  Ｍｅｍｏｒｙ）／ＭＯ（Ｍａｇｎｅｔｉｃ  Ｏｐｔｉｃａｌ  Ｄｉｓｃ／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  ＥＰＲＯＭ）などの半導体メモリ等の媒体でもよい。さらに、ＣＰＵ１１１がインターネットに接続されたコンピュータから認証プログラムをダウンロードしてＨＤＤ１１６に記憶する、または、インターネットに接続されたコンピュータが認証プログラムをＨＤＤ１１６に書込みするようにして、ＨＤＤ１１６に記憶された認証プログラムをＲＡＭ１１２にロードしてＣＰＵ１１１で実行するようにしてもよい。ここでいうプログラムは、ＣＰＵ１１１により直接実行可能なプログラムだけでなく、ソースプログラム、圧縮処理されたプログラム、暗号化されたプログラム等を含む。
【００４０】
通信制御部１２３は、ＣＰＵ１１１をＰＳＴＮ７に接続するためのモデムである。ＭＦＰ１００には、ＰＳＴＮ７における電話番号が予め割り当てられており、ＰＳＴＮ７に接続されたファクシミリ装置からＭＦＰ１００に割り当てられた電話番号に発呼があると、通信制御部１２３がその発呼を検出する。通信制御部１２３は、発呼を検出すると通話を確立し、ファクシミリ部１２２に通信させる。
【００４１】
ファクシミリ部１２２は、ＰＳＴＮ７に接続され、ＰＳＴＮ７にファクシミリデータを送信する、またはＰＳＴＮ７からファクシミリデータを受信する。
【００４２】
図３は、操作パネルの一例を示す平面図である。図３を参照して、操作パネル９は、表示部１１４と、操作部１１５と、指紋読取部１２１の読取面１２１Ａとを含む。操作部１１５は、グループ識別情報の例である、グループ番号を指定するためのテンキー１１５Ａと、指紋の読取を指示するためのスタートキー１１５Ｂと、指定したグループ番号をキャンセルするためのクリアキー１１５Ｃとを含む。表示部１１４は、認証画面を表示する。認証画面は、「グループ番号を入力し、生体スキャンしてください。」のメッセージが表示され、グループ番号として「１」が表示されている。
【００４３】
認証画面が表示部１１４に最初に表示される場合、デフォルト値に設定されているグループ番号が表示される。ここでは、デフォルト値に設定されているグループ番号を「１」にしている。ユーザが、テンキー１１５Ａを押下すると、認証画面に表示されているグループ番号が、押下されたテンキーに対応して予め定められたグループ番号に変更される。ここでは、テンキーの番号とグループ番号とを同じにしている。例えば、「５」のテンキーが押下されると、認証画面のグループ番号が「５」に変更される。クリアキー１１５Ｃを押下すれば、デフォルト値に設定されているグループ番号「１」が表示される。なお、グループ番号は、１桁に限らず、複数桁にしてもよい。この場合には、押下された複数のテンキーの組合せに対して予め定められたグループ番号が、認証画面に表示される。デフォルト値の設定方法については後述する。
【００４４】
ユーザがスタートキー１１５Ｂを押下すると、指紋読取部１２１が起動される。ユーザが指紋読取部１２１の読取面１２１Ａに指の腹を押し付ければ、指紋読取部１２１により指の腹の指紋が読み取られる。
【００４５】
図４は、ＭＦＰ１００のＣＰＵ１１１の機能の概要を示す機能ブロック図である。図４を参照して、ＣＰＵ１１１は、複数のグループ番号のうちから１つを選択するためのグループ番号選択部５１と、認証レコードを認証テーブルから抽出する抽出部５３と、指紋画像を受け付ける指紋画像受付部５７と、２つの指紋画像を比較する比較部５５と、ユーザのログインを許可するログイン許可部５９と、認証テーブル管理部６１と、を含む。
【００４６】
認証テーブル管理部６１は、ＨＤＤ１１６に記憶される認証テーブル１１６Ａを管理する。認証テーブル１１６Ａは、複数の認証レコードを含む。図５は、認証レコードのフォーマットの一例を示す図である。図５を参照して、認証レコードは、グループ識別情報と、ユーザ識別情報と、生体情報とを含む。すなわち、認証レコードは、ユーザを識別するためのユーザ識別情報と、そのユーザが属するグループを識別するためのグループ識別情報と、そのユーザの指紋を読み取って得られる指紋画像とを関連付ける。グループ識別情報は、ここではグループ番号を用いている。ユーザ識別情報は、例えばユーザＩＤである。生体情報は、ここでは指紋画像を用いている。認証レコードは、指紋画像そのものを含んでもよいが、指紋画像のデータファイルを識別するためのファイル名を含んでもよいし、そのデータファイルへのポインタを含んでもよい。
【００４７】
図４に戻って、認証テーブル管理部６１は、ユーザの指示に基づいて、認証テーブルに新たに認証レコードを追加する、認証テーブルに含まれる認証レコードを変更する、または、認証テーブルに含まれる認証レコードを削除する。認証テーブル管理部６１は、上限値設定部６３を含む。上限値は、グループ番号毎に与えられる認証レコードの数の上限である。上限値設定部６３は、ユーザの指示に基づいて、グループ番号毎に上限値を設定する。
【００４８】
認証テーブル管理部６１は、新たな認証レコードを認証テーブル１１６Ａに追加する際、認証テーブルに含まれる認証レコードのうちに新たな認証レコードが含むグループ番号と同じグループ番号を含む認証レコードの数をカウントし、そのカウント値を上限値と比較する。カウント値が上限値と同じであれば、新たな認証レコードを認証テーブル１１６Ａに追加しない。これにより、認証テーブルに含まれる同じグループ番号を含む認証レコードの数は、グループ番号毎に定められる上限値以内に制限される。同じグループ番号を含む認証レコードの数が制限されるので、後述する指紋画像の比較により、同一か否かを判断する精度を向上させることができる。
【００４９】
グループ番号選択部５１は、複数のグループ番号のうちから１つを選択し、選択したグループ番号を抽出部５３に出力する。グループ番号のデフォルト値、ここでは「１」がＨＤＤ１１６に予め記憶されており、グループ番号選択部５１は、デフォルト値として設定されたグループ番号をＨＤＤ１１６から読み出すことにより、複数あるグループ番号のうちから読み出したグループ番号を選択する。ＭＦＰ１００の設置されたグループのグループ番号をデフォルト値に設定しておけば、通常は入力の必要がなく、他グループの人の場合のみ入力すればよく、入力の手間を省くことができる。グループ番号選択部５１は、また、操作部１１５のテンキー１１５Ａが押下されると、その時点で選択されているグループ番号を、押下されたテンキー１１５Ａに対応して予め定められたグループ番号に切り換える。グループ番号選択部５１は、操作部１１５のテンキー１１５Ａが押下される前はデフォルト値として設定されたグループ番号を抽出部５３に出力するが、操作部１１５のテンキー１１５Ａが押下されると、押下されたテンキー１１５Ａに対応して予め定められたグループ番号を抽出部５３に出力する。
【００５０】
抽出部５３は、指紋読取部１２１に指紋を読み取らせるための指示が入力されると、ここでは、操作部１１５のスタートキー１１５Ｂが押下されると、グループ番号選択部５１から入力されるグループ番号と同じグループ番号を含む認証レコードを認証テーブル１１６Ａから抽出し、抽出した認証レコードを比較部５５に出力する。抽出部５３は、複数の認証レコードを抽出した場合には、抽出した複数の認証レコードのすべてを比較部５５に出力する。
【００５１】
指紋画像受付部５７は、指紋読取部１２１が指紋を読み取って出力する指紋画像を受け付け、指紋画像を比較部５５に出力する。比較部５５は、指紋画像受付部５７から入力される指紋画像を、抽出部５３から入力される認証レコードに含まれる指紋画像と比較する。比較部５５は、２つの指紋画像をパターンマッチングし、両者が一致または類似すれば、ログイン許可部５９に許可信号を出力するが、両者が一致も類似もしなければログイン許可部５９に許可信号を出力しない。
【００５２】
ログイン許可部５９は、比較部５５から許可信号が入力されると、ユーザによるログインを許可する。ログインが許可されると、ＣＰＵ１１１は、その後に操作部１１５に入力される指示に従って処理を実行する。
【００５３】
図６は、認証テーブル管理処理の流れの一例を示すフローチャートである。認証テーブル管理処理は、ＣＰＵ１１１がＲＯＭ１１３に記憶された認証プログラムを実行することにより、ＣＰＵ１１１により実行される処理である。図６を参照して、ＣＰＵ１１１は、認証レコード追加指示を受け付けたか否かを判断する（ステップＳ５１）。認証レコードの追加指示は、表示部１１４にメニュー画面を表示するようにし、メニュー画面に含まれる認証レコード追加に対応する選択肢が選択された場合に、認証レコード追加指示を受け付ける。認証レコード追加指示を受け付けたならば処理をステップＳ５２に進め、そうでなければ処理をステップＳ６２に進める。
【００５４】
ステップＳ５２においては、ユーザ識別情報を受け付けたか否かを判断する。ユーザが操作部１１５のテンキー１１５Ａ等を用いてユーザ識別情報を入力すると、操作部１１５からユーザ識別情報を受け付ける。ユーザ識別情報を受け付けるまで待機状態となり（ステップＳ５２でＮＯ）、ユーザ識別情報を受け付けたならば（ステップＳ５２でＹＥＳ）処理をステップＳ５３に進める。
【００５５】
ステップＳ５３においては、グループ番号を受け付けたか否かを判断する。ユーザが操作部１１５のテンキー１１５Ａを用いてグループ番号を入力すると、操作部１１５からグループ番号を受け付ける。グループ番号を受け付けるまで待機状態となり（ステップＳ５３でＮＯ）、グループ番号を受け付けたならば（ステップＳ５３でＹＥＳ）処理をステップＳ５４に進める。
【００５６】
ステップＳ５４においては、指紋を読み取らせるための指紋読取指示を受け付けたか否かを判断する。具体的には、指紋読取部１２１に指紋を読み取らせるために、操作部１１５のスタートキー１１５Ｂが押下されたか否かを判断する。指紋読取指示を受け付けたならば処理をステップＳ５５に進め、そうでなければ処理をステップＳ５３に戻す。
【００５７】
ステップＳ５５においては、指紋読取部１２１が出力する指紋画像を受け付ける。そして、ステップＳ５３で受け付けたグループ番号に対応する上限値ＴをＨＤＤ１１６から読出す（ステップＳ５６）。上限値Ｔは、グループ番号に対応して予め定められ、ＨＤＤ１１６に記憶される。換言すれば、上限値は、グループ番号が異なれば異なる値となり得る。
【００５８】
次のステップＳ５７においては、認証テーブル１１６Ａに含まれる認証レコードのうちステップＳ５３で受け付けたグループ番号を含む認証レコードのレコード数が、上限値Ｔに等しいか否かを判断する。レコード数が上限値Ｔに等しければ処理をステップＳ６０に進め、等しくなければ処理をステップＳ５８に進める。
【００５９】
ステップＳ６０においては、登録を拒否し、認証レコードを認証テーブル１１６Ａに新規に追加しない。ステップＳ６１においては、グループ番号の認証レコードを新規追加できないことをユーザに知らせるためのエラーメッセージを表示部１１４に表示し、処理をステップＳ５１に戻す。処理をステップＳ６０に進めるのは、レコード数が上限値と等しいときである。ステップＳ６０においては、新規な認証レコードを認証テーブル１１６Ａに追加しないので、認証レコードが上限数を超えることがない。
【００６０】
ステップＳ５８においては、認証レコードを生成する。認証レコードは、ステップＳ５２で受け付けたユーザ識別情報と、ステップＳ５３で受け付けたグループ番号と、ステップＳ５５で受け付けた指紋画像とを含む。次のステップＳ５９においては、生成した認証レコードを認証テーブル１１６Ａに追加し、処理をステップＳ６２に進める。
【００６１】
ステップＳ６２においては、デフォルト値の設定指示を受け付けたか否かを判断する。表示部１１４に表示されたメニュー画面に含まれるデフォルト値の設定に対応する選択肢が選択された場合に、デフォルト値の設定指示を受け付ける。ここでのデフォルト値の設定は、複数のグループ番号のうちのいずれかをデフォルト値に設定することをいう。デフォルト値の設定指示を受け付けたならば処理をステップＳ６３に進め、そうでなければ処理をステップＳ６５に進める。ステップＳ６３においては、デフォルト値に設定するためのグループ番号を受け付けたか否かを判断する。ユーザが操作部１１５のテンキー１１５Ａを用いてグループ番号を入力すると、操作部１１５からグループ番号を受け付ける。グループ番号を受け付けたならば処理をステップＳ６４に進め、そうでなければ処理をステップＳ６２に戻す。ステップＳ６４においては、ステップＳ６３において受け付けたグループ番号をデフォルト値に設定し、デフォルト値をＨＤＤ１１６に記憶する。
【００６２】
ステップＳ６５においては、上限値の変更指示を受け付けたか否かを判断する。表示部１１４に表示されたメニュー画面に含まれる上限値の変更に対応する選択肢が選択された場合に、上限値の変更指示を受け付ける。ここでの上限値の変更は、複数のグループ番号それぞれに対応して定められている上限値を変更することをいう。上限値の変更指示を受け付けたならば処理をステップＳ６６に進め、そうでなければ処理を終了する。ステップＳ６６においては、上限値を変更するためのグループ番号を受け付けたか否かを判断する。ユーザが操作部１１５のテンキー１１５Ａを押下すると、押下されたテンキー１１５Ａに対応するグループ番号を操作部１１５から受け付ける。グループ番号を、０〜９の数字としているため、テンキー１１５Ａのいずれかが押下されることにより、グループ番号が定まる。グループ番号を受け付けるまで待機状態となり（ステップＳ６６でＮＯ）、グループ番号を受け付けたならば処理をステップＳ６７に進める。
【００６３】
次に、グループ番号に対応する上限値を受け付ける（ステップＳ６７）。ここで受け付ける上限値は、ステップＳ６６で受け付けられたグループ番号に対する上限値である。そして、グループ番号に対応する上限値を、ステップＳ６７で受け付けた上限値に変更し（ステップＳ６８）、処理を終了する。具体的には、ＨＤＤ１１６にグループ番号に対応して記憶されている上限値を、ステップＳ６７で受け付けた上限値で書き換える。
【００６４】
図７は、ユーザ認証処理の流れの一例を示すフローチャートである。ユーザ認証処理は、ＣＰＵ１１１がＲＯＭ１１３に記憶された認証プログラムを実行することにより、ＣＰＵ１１１により実行される処理である。図７を参照して、ＣＰＵ１１１は、デフォルト値に設定されているグループ番号を処理対象に設定する（ステップＳ０１）。具体的には、ＨＤＤ１１６にデフォルト値として記憶されているグループ番号を読み出し、処理対象に設定する。次に、図３に示した認証画面を表示部１１４に表示する（ステップＳ０２）。この時点で表示される認証画面に含まれるグループ番号は、ステップＳ０１で処理対象に設定されたグループ番号である。
【００６５】
次に、グループ番号の変更指示を受け付けたか否かを判断する（ステップＳ０３）。グループ番号の変更指示は、操作部１１５にグループ番号の変更指示を入力するために予め設けられたキーが押下されると、操作部１１５から受け付けられる。ステップＳ０４においては、グループ番号を受け付ける。ユーザが操作部１１５のテンキー１１５Ａを押下することにより、操作部１１５から押下されたテンキー１１５Ａに対応する番号を受け付ける。グループ番号を、０〜９の数字としているため、テンキー１１５Ａに対応する番号を受け付けることにより、グループ番号が受け付けられる。なお、グループ番号の受け付けと、グループ番号の変更指示の受け付けとを、１つの操作とするようにしてもよい。具体的には、ユーザが操作部１１５のテンキー１１５Ａを押下することにより、グループ番号の変更指示を受け付けるとともに、押下されたテンキー１１５Ａに対応する番号をグループ番号として受け付ける。
【００６６】
ステップＳ０１でデフォルト値として設定されているグループ番号が処理対象として設定されているが、ステップＳ０５においては、ステップＳ０４で受け付けたグループ番号を処理対象に変更する。そして、処理をステップＳ０６に進める。ステップＳ０６においては、指紋を読み取らせるための指紋読取指示を受け付けたか否かを判断する。具体的には、指紋読取部１２１に指紋を読み取らせるために、操作部１１５のスタートキー１１５Ｂが押下されたか否かを判断する。指紋読取指示を受け付けたならば処理をステップＳ０７に進め、そうでなければ処理をステップＳ０３に戻す。処理対象として設定するためのグループ番号の変更を可能とするためである。
【００６７】
ステップＳ０７においては、指紋読取部１２１が出力する指紋画像を受け付ける。そして、処理対象に設定されているグループ番号を含む認証レコードを認証テーブル１１６Ａから抽出する（ステップＳ０８）。処理対象に設定されているグループ番号を含む認証レコードが複数存在する場合は、複数の認証レコードの全てを抽出する。ここで、処理対象に設定されているグループ番号は、ステップＳ０５においてグループ番号が変更された場合には、変更後のグループ番号であり、ステップＳ０５においてグループ番号が変更された場合には、ステップＳ０１で処理対象に設定されたグループ番号、換言すればデフォルト値に設定されているグループ番号である。
【００６８】
ステップＳ０９においては、ステップＳ０７において受け付けた指紋画像と、ステップＳ０８で抽出した認証レコードに含まれる指紋画像とを比較する。複数の認証レコードが抽出された場合には、１つの認証レコードを順に選択し、ステップＳ０７において受け付けた指紋画像と選択した認証レコードに含まれる指紋画像とを比較する。
【００６９】
ステップＳ１０においては、比較の結果、ステップＳ０７において受け付けた指紋画像に一致または類似する指紋画像を含む認証レコードが存在するか否かを判断する。そのような認証レコードが存在するならば処理をステップＳ１１に進め、存在しなければ処理をステップＳ１２に進める。ステップＳ１１においては、ログインを許可し、処理を終了するが、ステップＳ１２においては、ログインを拒否し、処理を終了する。
【００７０】
以上説明したように第１の実施の形態における認証装置としてのＭＦＰ１００は、デフォルト値として設定されたグループ番号または押下されたテンキー１１５Ａに対応するグループ番号を処理対象に決定し、指紋読取部１２１で指紋画像が読み取られると、認証テーブル１１６Ａのうちからグループ番号を含む認証レコードを抽出し、指紋読取部１２１が指紋を読み取って出力する指紋画像と抽出された認証レコードに含まれる指紋画像とを比較する。このため、ユーザは、グループ番号を決定し、指紋を指紋読取部１２１に読み取らせればよいので、操作が容易である。また、指紋画像を比較する回数を少なくすることができ、誤って認証する確率を小さくすることがでる。また、認証に要する時間を短くすることができる。
【００７１】
また、グループ番号が別のグループ番号に切換えられることなく指紋が読み取られると、デフォルト値として設定されたグループ番号が処理対象に決定され、デフォルト値として設定されたグループ番号を含む認証レコードが抽出される。このため、ユーザ識別情報がデフォルト値として設定されたグループ番号と組になるユーザは、グループ番号を入力することなく指紋を指紋読取部１２１に読み取らせればよいので、操作が容易となる。
【００７２】
また、テンキー１１５Ａが押下されると、テンキー１１５Ａそれぞれに対応するグループ番号が処理対処に決定される。このため、グループ番号の入力が容易となる。
【００７３】
さらに、認証テーブルに同じグループ番号を含む認証レコードを記憶可能な数が上限値に制限されるので、指紋画像を比較する対象の数が制限される。このため、誤認率を所定の値以下に維持することができる。
【００７４】
さらに、グループ番号毎に設定される上限値を変更可能なので、上限値をグループ番号毎に異ならせることができる。
【００７５】
なお、本実施の形態においては、生体情報の一例として指紋画像を用いるようにしたが、認証のためには、指紋画像に限られず、静脈パターン、虹彩、声紋等他の生体情報を用いるようにしてもよい。その場合には、指紋読取部１２１に代えて、生体情報を入力するための読取装置がＭＦＰ１００に装着される。
【００７６】
＜第２の実施の形態＞
図８は、第２の実施の形態の一つにおける認証システムの全体概要を示す図である。図８を参照して、認証システム１は、ネットワーク２にそれぞれ接続されたＭＦＰ１００，１００Ａ，１００Ｂ，１００Ｃと、パーソナルコンピュータ（以下「ＰＣという」）２００と、を含む。ＰＣ２００は、一般的なコンピュータである。その構成及び機能は周知なのでここでは説明を繰り返さない。ＭＦＰ１００，１００Ａ，１００Ｂ，１００Ｃは、それらのハード構成は、第１の実施の形態におけるＭＦＰ１００と同じなので、ここでは説明を繰り返さない。なお、ここでは、認証システム１が、４台のＭＦＰ１００，１００Ａ，１００Ｂ，１００Ｃを含む場合を例に説明するが、台数を限定するものではなく、１台以上のＭＦＰを含んでいればよい。
【００７７】
ネットワーク２は、ローカルエリアネットワーク（ＬＡＮ）であり、有線または無線を問わない。またネットワーク２は、ＬＡＮに限らず、インターネットなどのワイドエリアネットワーク（ＷＡＮ）、一般公衆回線を用いたネットワーク等であってもよい。
【００７８】
ＭＦＰ１００，１００Ａ，１００Ｂ，１００Ｃと、ＰＣ２００とは、それぞれがネットワーク２に接続されるので、互いに通信することが可能である。第２の実施の形態における認証システムにおいては、第１の実施の形態におけるＭＦＰ１００が備える機能を、ＰＣ２００が備え、ＰＣ２００が認証処理を実行するようにしたものである。ＰＣ２００は、認証テーブル１１６Ａをそれが備えるＨＤＤに記憶する。さらに、ＰＣ２００においては、図６に示した認証テーブル管理処理が実行される。一方、ＭＦＰ１００，１００Ａ，１００Ｂ，１００Ｃそれぞれが、グループ識別情報を決定し、ユーザの指紋を読み取り、グループ識別情報と指紋画像とを認証装置であるＰＣ２００に送信する。ＰＣ２００においては、認証処理を実行し、認証結果をＭＦＰ１００，１００Ａ，１００Ｂ，１００Ｃのうちグループ識別情報と指紋画像とを送信してきたＭＦＰに返信する。ＭＦＰ１００，１００Ａ，１００Ｂ，１００Ｃのうち認証結果を受信したＭＦＰでは、受信した認証結果に基づいて、ログインを許可するか、拒否するかを決定する。ＭＦＰ１００，１００Ａ，１００Ｂ，１００Ｃが有する機能は同じなので、ここではＭＦＰ１００を例に説明する。
【００７９】
図９は、ＭＦＰで実行される認証受付処理の流れの一例を示すフローチャートである。図９を参照して、図７に示したユーザ認証処理と異なる点は、ステップＳ０８〜ステップＳ１０に代えて、ステップＳ２１〜ステップＳ２３が実行される点である。ステップＳ２１においては、処理対象に設定されているグループ番号と、ステップＳ０７で受け付けた指紋画像とをＰＣ２００に送信する。そして、ＰＣ２００から認証結果を受信するまで待機状態となり（ステップＳ２２でＮＯ）、認証結果を受信すると（ステップＳ２２でＹＥＳ）、処理をステップＳ２３に進める。ステップＳ２３においては、認証結果がログイン許可を示す場合には処理をステップＳ１１に進め、そうでない場合には処理をステップＳ１２に進める。
【００８０】
図１０は、ＰＣで実行される認証処理の流れの一例を示すフローチャートである。認証処理は、ＰＣ２００のＣＰＵが認証プログラムを実行することにより、ＰＣ２００のＣＰＵにより実行される処理である。図１０を参照して、ＭＦＰ１００，１００Ａ，１００Ｂ，１００Ｃのいずれかからグループ番号と指紋画像とを受信するまで待機状態となり（ステップＳ３１でＮＯ）、それらを受信すると（ステップＳ３１でＹＥＳ）、処理をステップＳ３２に進める。すなわち、認証処理は、ＭＦＰ１００，１００Ａ，１００Ｂ，１００Ｃのいずれかからグループ番号と指紋画像とを受信することを条件に実行される処理である。
【００８１】
ステップＳ３２において、ステップＳ３１で受信したグループ番号を含む認証レコードを認証テーブル１１６Ａから抽出する。ステップＳ３１で受信したグループ番号を含む認証レコードが複数存在する場合は、複数の認証レコードの全てを抽出する。
【００８２】
ステップＳ３３においては、ステップＳ３１において受信した指紋画像と、ステップＳ３２で抽出した認証レコードに含まれる指紋画像とを比較する。複数の認証レコードが抽出された場合には、１つの認証レコードを順に選択し、ステップＳ３１において受信した指紋画像と選択した認証レコードに含まれる指紋画像とを比較する。
【００８３】
ステップＳ３４においては、比較の結果、ステップＳ３１において受信した指紋画像に一致または類似する指紋画像を含む認証レコードが存在するか否かを判断する。そのような認証レコードが存在するならば処理をステップＳ３５に進め、存在しなければ処理をステップＳ３６に進める。ステップＳ３５においては、認証結果にログイン許可を設定し、処理をステップＳ３７に進めるが、ステップＳ３６においては、認証結果にログイン拒否を設定し、処理をステップＳ３７に進める。ステップＳ３７においては、ＭＦＰ１００，１００Ａ，１００Ｂ，１００ＣのうちステップＳ３１において受信したグループ識別情報および指紋画像を送信してきたＭＦＰに認証結果を返信し、処理を終了する。
【００８４】
以上説明したように、認証システム１は、情報処理装置としての複数のＭＦＰ１００，１００Ａ，１００Ｂ，１００Ｃと、認証装置としてのＰＣ２００とで構成される。
【００８５】
複数のＭＦＰ１００、１００Ａ，１００Ｂ，１００Ｃそれぞれは、指紋を読み取り、指紋画像を出力する指紋読取部１２１と、複数のグループ番号のうちから１つを決定し、決定したグループ番号と指紋画像とをＰＣ２００に送信する。一方、ＰＣ２００は、認証テーブル１１６ＡをＨＤＤ１１６に記憶しており、複数のＭＦＰ１００、１００Ａ，１００Ｂ，１００Ｃのいずれかからグループ番号と指紋画像とを受信すると、受信されたグループ番号を含む認証レコードを抽出し、受信された指紋画像と抽出された認証レコードに含まれる指紋画像とを比較する。このため、ユーザは、ＭＦＰ１００，１００Ａ，１００Ｂ，１００Ｃのいずれかでグループ番号を決定し、指紋を指紋読取部１２１に読み取らせればよいので、操作が容易である。また、ＰＣ２００はグループ番号を受信するので、指紋画像を比較する回数を少なくすることができ、誤って認証する確率を小さくすることがでる。
【００８６】
また、複数のＭＦＰ１００，１００Ａ，１００Ｂ，１００Ｃ毎に複数のグループ番号のいずれかがデフォルト値として設定されており、デフォルト値として設定されたグループ番号が処理対象に決定される。また、テンキー１１５Ａが押下されると、押下されたテンキー１１５Ａに対応するグループ番号が処理対象に決定される。テンキー１１５Ａが押下される前は、デフォルト値として設定されたグループ番号を処理対象とし、テンキー１１５Ａが押下された後は、押下されたテンキー１１５Ａに対応するグループ番号を処理対象にする。このため、デフォルトに設定されたグループ番号に属するユーザは、テンキー１１５Ａを押下する必要がないので、操作が簡単である。
【００８７】
特に、複数のＭＦＰ１００，１００Ａ，１００Ｂ，１００Ｃ毎に、デフォルト値として設定されるグループ番号を異ならせるようにし、ＭＦＰ１００，１００Ａ，１００Ｂ，１００Ｃそれぞれを使用するユーザが定まっていれば、ユーザはテンキー１１５Ａを押下してグループ番号をデフォルト値から変更する必要がない。このため、指紋を読み取らせるだけの簡単な操作で認証することができる。さらに、認証装置であるＰＣ２００は、ＭＦＰ１００，１００Ａ，１００Ｂ，１００Ｃを使用するユーザのすべてを１つの認証テーブルで管理できるとともに、誤認率を低くすることができる。
【００８８】
なお、上述した実施の形態においては、ＭＦＰ１００および認証システム１について説明したが、図６、図９および図１０に示した処理をコンピュータに実行させるための認証所方法または認証プログラムとして発明を捉えることができるのは言うまでもない。
【００８９】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９０】
【図１】本実施の形態におけるＭＦＰの外観を示す斜視図である。
【図２】ＭＦＰの回路構成の一例を示すブロック図である。
【図３】操作パネルの一例を示す平面図である。
【図４】ＭＦＰのＣＰＵの機能の概要を示す機能ブロック図である。
【図５】認証レコードのフォーマットの一例を示す図である。
【図６】認証テーブル管理処理の流れの一例を示すフローチャートである。
【図７】ユーザ認証処理の流れの一例を示すフローチャートである。
【図８】第２の実施の形態の一つにおける認証システムの全体概要を示す図である。
【図９】ＭＦＰで実行される認証受付処理の流れの一例を示すフローチャートである。
【図１０】ＰＣで実行される認証処理の流れの一例を示すフローチャートである。
【符号の説明】
【００９１】
１  認証システム、２  ネットワーク、９  操作パネル、１０  ＡＤＦ、２０  画像読取部、３０  画像形成部、４０  給紙部、５０  後処理部、５１  グループ番号選択部、５３  抽出部、５５  比較部、５７  指紋画像受付部、５９  ログイン許可部、６１  認証テーブル管理部、６３  上限値設定部、１００，１００Ａ，１００Ｂ，１００Ｃ  ＭＦＰ、１０１  メイン回路、１１１  ＣＰＵ、１１２  ＲＡＭ、１１３  ＲＯＭ、１１４  表示部、１１５  操作部、１１５Ａ  テンキー、１１５Ｂ  スタートキー、１１５Ｃ  クリアキー、１１６  ＨＤＤ、１１６Ａ  認証テーブル、１１７  データ通信制御部、１１８  端子、１１９  シリアル通信インターフェース端子、１１９Ａ  メモリカード、１２１  指紋読取部、１２１Ａ  読取面、１２２  ファクシミリ部、１２３  通信制御部、２００  ＰＣ。
【図１】
2008204205.tif 000003
【図２】
2008204205.tif 000004
【図３】
2008204205.tif 000005
【図４】
2008204205.tif 000006
【図５】
2008204205.tif 000007
【図６】
2008204205.tif 000008
【図７】
2008204205.tif 000009
【図８】
2008204205.tif 000010
【図９】
2008204205.tif 000011
【図１０】
2008204205.tif 000012